(57)【要約】【課題】本考案は、名刺、葉書、台紙等の印刷用紙の表面に、突き板、化粧紙、布地等の化粧素材を段差なく貼り付けた化粧素材付き印刷用紙を提供する。【解決手段】本考案の化粧素材付き印刷用紙は、名刺、葉書、台紙等の矩形の印刷用紙１の表面に、突き板、化粧紙、布地等の化粧素材２を長手方向又は短手方向に沿って段差なく貼り付けたものである。したがって、表面は、印刷用紙１と化粧素材２が平坦をなしており、裏面は印刷用紙１のみの２層構造となっている。【選択図】図１
0003182983.tif 000002
【実用新案登録請求の範囲】
【請求項１】
名刺、葉書、台紙等の矩形の印刷用紙の表面に、突き板、化粧紙、布地等の化粧素材を長手方向又は短手方向に沿って段差なく貼り付け、前記印刷用紙と前記化粧素材が平坦をなしており、裏面は印刷用紙のみの２層構造となっていることを特徴とする化粧素材付き印刷用紙。
【請求項２】
中央部に裏面となる裏面台紙と、該裏面台紙の左右側辺から折曲げ線を介して表面となる表面台紙を設け、該表面台紙は水平方向に化粧素材の幅で切欠き、前記表面台紙を前記折曲げ線に沿ってそれぞれ前記裏面台紙側に折り畳み、それにより前記裏面台紙と前記表面台紙が重なる部分と、前記裏面台紙が単独の部分とが形成され、前記裏面台紙が単独の部分に、化粧素材を重ね合わせることにより、前記裏面台紙と表面台紙と化粧素材が組み合わさった印刷用紙原紙を作成し、該印刷用紙原紙を印刷用紙の大きさに切り抜くことにより印刷用紙の長手方向に化粧素材が作成されたことを特徴とする請求項１記載の化粧素材付き印刷用紙。
【請求項３】
中央部に裏面となる裏面台紙と、該裏面台紙の左右側辺から折曲げ線を介して表面となる表面台紙を設け、該表面台紙を前記裏面台紙の１／２以下の幅とし、前記表面台紙を前記折曲げ線に沿ってそれぞれ前記裏面台紙側に折り畳み、それにより前記裏面台紙と前記表面台紙が重なる部分と、前記裏面台紙が単独の部分とが形成され、前記裏面台紙が単独の部分に、化粧素材を重ね合わせることにより、前記裏面台紙と表面台紙と化粧素材が組み合わさった印刷用紙原紙を作成し、該印刷用紙原紙を印刷用紙の大きさに切り抜くことにより印刷用紙の短手方向に化粧素材が作成されたことを特徴とする請求項１記載の化粧素材付き印刷用紙。
【請求項４】
前記印刷用紙は、名刺、葉書、Ａ０〜Ａ６判，Ｂ０〜Ｂ６判の台紙からなることを特徴とする請求項２又は３記載の化粧素材付き印刷用紙。
【請求項５】
前記化粧素材は、突き板、化粧紙、模様付き布地からなることを特徴とする請求項２又は３記載の化粧素材付き印刷用紙。
【考案の詳細な説明】
【技術分野】
【０００１】
本考案は、名刺、葉書、台紙等の印刷用紙の表面に、突き板、化粧紙、布地等の化粧素材を段差なく貼り付けた化粧素材付き印刷用紙に関するものである。
【背景技術】
【０００２】
従来、自然の木目と木の香りを有すると共に、強靭で割れにくく、かつ文字・図形・記号等の表示が立体的であって、優雅で、かつ目立ち易い木質名刺類が知られている(特許文献１を参照)。
この公知技術は、台紙の表面又は表裏両面に、突き板を一体的に貼着してなる薄板の表面又は表裏両面に、文字・図形・記号等を凹凸形成した木質名刺類である。
この木質名刺類は、天然木をスライスした突き板がそのまま台紙上に重ねて接着されており、レーザー光線を照射することで、文字・図形・記号等を突き板に凹凸彫刻することができ、従って、天然の木の質感・肌触り、更にはほのかに木の香りを感じることができる等の効果がある。
しかし、この木質名刺類は、表面全体を突き板で形成されているので、天然の木の質感・肌触り、更にはほのかに木の香りを感じることができるが、表面全体が突き板のため凹凸が見えにくいし、全体が変化に乏しいものであった。
【０００３】
また、同様に、木材を使用しながらも、可撓性があり、しかも薄肉厚で、さらに重量もきわめて軽くした葉書が知られている(特許文献２を参照)。
この公知技術は、宛名記載側の面を構成する第１の木材シートと、文書記載側の面を構成する第２の木材シートと、前記第１の木材シートと第２の木材シートを結合する結合シートから構成されている葉書である。
この葉書は、第１の木材シート及び第２の木材シートの少なくとも一方を薄肉な接ぎ木材から構成したから、薄肉木材の廃材等を接いで使用することができ、廃材有効利用を図りつつ、薄くて可撓性があり且つ軽い葉書ができる等の効果がある。
しかし、この葉書は、柾目と板目、板目と板目の薄肉な接ぎ木材から構成しているので、意匠的効果には優れているが、全面が木材シートであるため文書文字が書きにくいし、見えにくいし、変化に乏しい等の欠点があった。
【０００４】
このようなことから、表面全体が突き板や木材シートではなく、一部分に突き板や木材シートを形成した意匠効果に優れた名刺、葉書類の開発が望まれていた。
【先行技術文献】
【特許文献】
【０００５】
【特許文献１】実用新案登録第３１１０１１８号公報
【特許文献２】実用新案登録第３０６１１２９号公報
【考案の概要】
【考案が解決しようとする課題】
【０００６】
本考案は、名刺、葉書、台紙等の印刷用紙の表面に、突き板、化粧紙、布地等の化粧素材を段差なく貼り付けた化粧素材付き印刷用紙を提供することを目的とする。
【課題を解決するための手段】
【０００７】
本考案の化粧素材付き印刷用紙は、名刺、葉書、台紙等の矩形の印刷用紙の表面に、突き板、化粧紙、布地等の化粧素材を長手方向又は短手方向に沿って段差なく貼り付け、前記印刷用紙と前記化粧素材が平坦をなしており、裏面は印刷用紙のみの２層構造となっている。
本考案の化粧素材付き印刷用紙は、中央部に裏面となる裏面台紙と、該裏面台紙の左右側辺から折曲げ線を介して表面となる表面台紙を設け、該表面台紙は水平方向に化粧素材の幅で切欠き、前記表面台紙を前記折曲げ線に沿ってそれぞれ前記裏面台紙側に折り畳み、それにより前記裏面台紙と前記表面台紙が重なる部分と、前記裏面台紙が単独の部分とが形成され、前記裏面台紙が単独の部分に、化粧素材を重ね合わせることにより、前記裏面台紙と表面台紙と化粧素材が組み合わさった印刷用紙原紙を作成し、該印刷用紙原紙を印刷用紙の大きさに切り抜くことにより印刷用紙の長手方向に化粧素材が作成されたものである。
【０００８】
本考案の化粧素材付き印刷用紙は、中央部に裏面となる裏面台紙と、該裏面台紙の左右側辺から折曲げ線を介して表面となる表面台紙を設け、該表面台紙を前記裏面台紙の１／２以下の幅とし、前記表面台紙を前記折曲げ線に沿ってそれぞれ前記裏面台紙側に折り畳み、それにより前記裏面台紙と前記表面台紙が重なる部分と、前記裏面台紙が単独の部分とが形成され、前記裏面台紙が単独の部分に、化粧素材を重ね合わせることにより、前記裏面台紙と表面台紙と化粧素材が組み合わさった印刷用紙原紙を作成し、該印刷用紙原紙を印刷用紙の大きさに切り抜くことにより印刷用紙の短手方向に化粧素材が作成されたものである。
前記印刷用紙は、名刺、葉書、Ａ０〜Ａ６判，Ｂ０〜Ｂ６判の台紙からなる。
前記化粧素材は、突き板、化粧紙、模様付き布地からなる。
【考案の効果】
【０００９】
本考案は、名刺、葉書、台紙等の印刷用紙の表面に、突き板、化粧紙、布地等の化粧素材を長手方向又は短手方向に沿って段差なく貼り付けた化粧素材付き印刷用紙であるため、意匠的効果に優れている。
【００１０】
本考案の化粧素材付き印刷用紙は、中央部に裏面となる裏面台紙と、該裏面台紙の左右側辺から折曲げ線を介して表面となる表面台紙を設け、該表面台紙は水平方向に化粧素材の幅で切欠き、前記表面台紙を前記折曲げ線に沿ってそれぞれ前記裏面台紙側に折り畳み、それにより前記裏面台紙と前記表面台紙が重なる部分と、前記裏面台紙が単独の部分とが形成され、前記裏面台紙が単独の部分に、化粧素材を重ね合わせることにより、前記裏面台紙と表面台紙と化粧素材が組み合わさった印刷用紙原紙を作成し、該印刷用紙原紙を印刷用紙の大きさに切り抜くことにより印刷用紙の長手方向に化粧素材が作成されたものであるため、製作容易である。
【００１１】
本考案の化粧素材付き印刷用紙は、中央部に裏面となる裏面台紙と、該裏面台紙の左右側辺から折曲げ線を介して表面となる表面台紙を設け、該表面台紙を前記裏面台紙の１／２以下の幅とし、前記表面台紙を前記折曲げ線に沿ってそれぞれ前記裏面台紙側に折り畳み、それにより前記裏面台紙と前記表面台紙が重なる部分と、前記裏面台紙が単独の部分とが形成され、前記裏面台紙が単独の部分に、化粧素材を重ね合わせることにより、前記裏面台紙と表面台紙と化粧素材が組み合わさった印刷用紙原紙を作成し、該印刷用紙原紙を印刷用紙の大きさに切り抜くことにより印刷用紙の短手方向に化粧素材が作成されたものであるため、製作容易である。
【図面の簡単な説明】
【００１２】
【図１】本考案の化粧素材付き印刷用紙の（ａ）長手方向に化粧素材、（ｂ）短手方向に化粧素材を設けた平面図である。
【図２】一実施例の裏面台紙と表面台紙の展開平面図である。
【図３】一実施例の裏面台紙と表面台紙の展開斜視図である。
【図４】一実施例の裏面台紙と表面台紙と突き板の展開斜視図である。
【図５】一実施例の印刷用紙原紙の斜視図である。
【図６】一実施例の印刷用紙原紙の切抜き線を示す斜視図である。
【図７】他の実施例の裏面台紙と表面台紙の展開斜視図である。
【図８】他の実施例の印刷用紙原紙の斜視図である。
【図９】他の実施例の印刷用紙原紙の切抜き線を示す斜視図である。
【考案を実施するための形態】
【００１３】
本考案の化粧素材付き印刷用紙の一実施例を添付図面に基づいて、以下に説明する。
図１（ａ）の平面図に示すように、本考案の化粧素材付き印刷用紙は、名刺、葉書、台紙等の矩形の印刷用紙１の表面に、突き板、化粧紙、布地等の化粧素材２を長手方向に沿って段差なく貼り付けたものである。
したがって、本考案の化粧素材付き印刷用紙の表面は、印刷用紙１と化粧素材２が平坦をなしており、裏面は印刷用紙１のみの２層構造となっている。
【００１４】
次に、名刺８枚の作成を例にとって、本考案の化粧素材付き印刷用紙の製作方法を以下に説明する。
図２の展開平面図に示すように、中央部に名刺の裏面となる裏面台紙３と、該裏面台紙３の左右辺から折曲げ線４を介して名刺の表面となる表面台紙５を設け、該表面台紙５は水平方向に化粧素材２の幅で切欠き、この例では左右に上下２段に形成している。
【００１５】
次に、図３の展開斜視図に示すように、前記表面台紙５を前記折曲げ線４に沿ってそれぞれ前記裏面台紙３側に折り畳む。
これによって、前記裏面台紙３を下側にし、その上に前記表面台紙５が折り重なって前記表面台紙５同士の先端が付き合わされる。
そして、前記裏面台紙３と前記表面台紙５が重なる部分と、前記裏面台紙３が単独の部分が形成される。
【００１６】
つぎに、図４の展開斜視図に示すように、前記裏面台紙３が単独の部分に、上方に示す突き板６をそれぞれ重ね合わせる。
これにより、図５の斜視図に示すように、前記裏面台紙３(裏側のため見えず)と表面台紙５と突き板６が組み合わさった名刺原紙が作成される。
【００１７】
図６の斜視図に示すように、名刺原紙を名刺の大きさの一点鎖線の切抜き線７に沿って切り抜くことにより、図１（ａ）に示す名刺が８枚作成される。
このようにして作製された名刺は、前記表面台紙５と突き板６が平坦をなしており、裏面は前記裏面台紙３のみとなっている。
【００１８】
つぎに、本考案の化粧素材付き印刷用紙の他の実施例を添付図面に基づいて、以下に説明する。
図１（ｂ）の平面図に示すように、本考案の化粧素材付き印刷用紙は、名刺、葉書、台紙等の矩形の印刷用紙１の表面に、突き板、化粧紙、布地等の化粧素材２を短手方向に沿って段差なく貼り付けたものである。
したがって、本考案の化粧素材付き印刷用紙の表面は、印刷用紙１と化粧素材２が平坦をなしており、裏面は印刷用紙１のみの２層構造となっている。
【００１９】
次に、名刺８枚の作成を例にとって、本考案の化粧素材付き印刷用紙の製作方法を以下に説明する。
図７の展開斜視図に示すように、中央部に名刺の裏面となる裏面台紙８と、該裏面台紙８の左右辺から折曲げ線９を介して名刺の表面となる表面台紙１０を設け、該表面台紙１０を前記裏面台紙８の１／２以下の幅とし、前記折曲げ線９に沿って折り曲げるように形成している。
【００２０】
次に、前記表面台紙１０を前記折曲げ線９に沿ってそれぞれ前記裏面台紙８側に折り畳み、これによって、前記裏面台紙８を下側にし、その上に前記表面台紙１０が折り重なって、前記裏面台紙８と前記表面台紙１０が重なる部分と、前記裏面台紙８が単独の部分が形成される。
【００２１】
そして、前記裏面台紙８が単独の部分に、突き板１１を重ね合わせ、これにより、図８の斜視図に示すように、前記裏面台紙８(裏側のため見えず)と表面台紙１０と突き板１１が組み合わさった名刺原紙が作成される。
【００２２】
次に、図９の斜視図に示すように、名刺原紙を名刺の大きさの一点鎖線の切抜き線１２に沿って切り抜くことにより、図１（ｂ）に示す名刺が８枚作成される。
このようにして作製された名刺は、前記表面台紙１０と突き板１１が平坦をなしており、裏面は前記裏面台紙８のみとなっている。
【００２３】
これらの実施例では、名刺の作製について説明を行ったが、葉書やＡ０〜Ａ６判，Ｂ０〜Ｂ６判の台紙にも同様にして行うことができるし、また突き板(天然木を薄くスライスしたもの)の使用で説明をしたが、化粧紙、模様付き布地などを使用することもできる。
【符号の説明】
【００２４】
１  印刷用紙
２  化粧素材
３  裏面台紙
４  折曲げ線
５  表面台紙
６  突き板
７  切抜き線
８  裏面台紙
９  折曲げ線
１０  表面台紙
１１  突き板
１２  切抜き線
【図１】
0003182983.tif 000003
【図２】
0003182983.tif 000004
【図３】
0003182983.tif 000005
【図４】
0003182983.tif 000006
【図５】
0003182983.tif 000007
【図６】
0003182983.tif 000008
【図７】
0003182983.tif 000009
【図８】
0003182983.tif 000010
【図９】
0003182983.tif 000011